(57)【要約】【課題】ハードディスクドライブの破損の進行具合を段階的に知ることができ、ユーザの都合に合わせてバックアップすることができる使い勝手の良い記録再生装置を提供することである。【解決手段】ＨＤＤ一体型光ディスク装置（記録再生装置）１０は、ハードディスクドライブの健康状態を示す情報を取得し、該情報の値と複数段階に設定された所定の閾値とを比較して前記ハードディスクドライブの破損の進行具合を推測し、破損の進行具合に応じた警告を複数段階的に出力し、何れかの前記警告の出力とともに、録画の禁止を許容するか否かの選択を促し、許容する旨の選択がされると、録画を禁止し、前記録画の禁止以降の何れかの前記警告の出力とともに、電源のオン／オフとデータのバックアップのみ可能とする構成とする。【選択図】図１
2008108332.tif 000002
【特許請求の範囲】
【請求項１】
ハードディスクドライブと、該ハードディスクドライブを制御する制御部とを備えた記録再生装置において、
前記制御部は、
前記ハードディスクドライブの健康状態を示す情報を取得し、該情報の値と複数段階に設定された所定の閾値とを比較して前記ハードディスクドライブの破損の進行具合を推測し、破損の進行具合に応じた警告を複数段階的に出力し、
何れかの前記警告の出力とともに、録画の禁止を許容するか否かの選択を促し、許容する旨の選択がされると、録画を禁止し、
前記録画の禁止以降の何れかの前記警告の出力とともに、電源のオン／オフとデータのバックアップのみ可能とすることを特徴とする記録再生装置。
【請求項２】
ハードディスクドライブと、該ハードディスクドライブを制御する制御部とを備えた記録再生装置において、
前記制御部は、
前記ハードディスクドライブの健康状態を示す情報を取得し、該情報の値と所定の閾値とを比較して前記ハードディスクドライブの破損の進行具合を推測し、破損の進行具合に応じた警告を出力することを特徴とする記録再生装置。
【請求項３】
前記所定の閾値は複数段階に設定されており、前記警告も複数段階的に出力することを特徴とする請求項２記載の記録再生装置。
【請求項４】
何れかの前記警告の出力とともに、所定の動作制限を行うことを特徴とする請求項２又は３記載の記録再生装置。
【請求項５】
前記動作制限は、録画の禁止であることを特徴とする請求項４記載の記録再生装置。
【請求項６】
前記録画の禁止を許容するか否かの選択を促すことを特徴とする請求項５記載の記録再生装置。
【請求項７】
前記動作制限は、電源のオン／オフとデータのバックアップのみ可能とすることを特徴とする請求項４記載の記録再生装置。
【発明の詳細な説明】
【技術分野】
【０００１】
本発明は、ハードディスクドライブを備えた記録再生装置に関し、詳しくはハードディスクの破損を監視する記録再生装置に関する。
【背景技術】
【０００２】
家庭で番組の録画に用いられる記録再生装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置などがある。
【０００３】
中でも近年普及してきている記録媒体がハードディスクである。ハードディスクは大容量の記録媒体であり、長時間の録画することが可能である。ところで、ハードディスクは使用により、徐々に破損が進行する場合がある。破損が生じると代替セクタを利用するので直ぐに使用できなくなるということはあまりない。
【０００４】
しかし、ハードディスクの破損が進行すればいずれは使用できなくなるので他の記録媒体に必要なデータをバックアップする必要がある。そこで、ハードディスクの破損を通知する様々な技術が提案されている。
【０００５】
例えば、特許文献１には、ハードディスク装置にデータを記録再生する記録再生装置において、ハードディスク装置における不良セクタを監視し、時間経過による不良セクタの増大により、ハードディスク装置が故障直前の状況にあると判定し、重要なファイルをメモリカードにバックアップする旨、ユーザに通知することが開示されている。
【０００６】
また例えば、特許文献２には、代替セクタ数などの自己状態情報の属性値を取得し、属性値の変動または変動割合によりハードディスクの障害発生を予測し、ハードディスクに障害が発生する可能性がある旨の警告情報をオペレータ用表示器に表示することが開示されている。
【特許文献１】特開２００５−３２３７７号公報
【特許文献２】特開２００５−１１５９７５号公報
【発明の開示】
【発明が解決しようとする課題】
【０００７】
上記の特許文献１及び特許文献２には、ハードディスクが故障する可能性があることをユーザに警告することが記載されているが、どの程度破損が進行しており、どのくらいで使用できなくなるのかは警告されない。したがって、ユーザは直ぐにバックアップしなければならず、使い勝手が良くない。
【０００８】
本発明は、ハードディスクドライブの破損の進行具合を段階的に知ることができ、ユーザの都合に合わせてバックアップすることができる使い勝手の良い記録再生装置を提供することを目的とする。
【課題を解決するための手段】
【０００９】
上記目的を達成するために本発明は、ハードディスクドライブと、該ハードディスクドライブを制御する制御部とを備えた記録再生装置において、
前記制御部は、
前記ハードディスクドライブの健康状態を示す情報を取得し、該情報の値と所定の閾値とを比較して前記ハードディスクドライブの破損の進行具合を推測し、破損の進行具合に応じた警告を出力することを特徴とする。
【００１０】
上記の記録再生装置において、前記所定の閾値は複数段階に設定されており、前記警告も複数段階的に出力することが望ましい。
【００１１】
また、何れかの前記警告の出力とともに、所定の動作制限を行うようにしてもよい。なお、前記動作制限は、録画の禁止とすることができる。また、前記録画の禁止を許容するか否かの選択を促すような設計にしてもよい。
【００１２】
また、前記動作制限は、電源のオン／オフとデータのバックアップのみ可能とするようにしてもよい。
【００１３】
本発明を具体化すると、ハードディスクドライブと、該ハードディスクドライブを制御する制御部とを備えた記録再生装置において、
前記制御部は、
前記ハードディスクドライブの健康状態を示す情報を取得し、該情報の値と複数段階に設定された所定の閾値とを比較して前記ハードディスクドライブの破損の進行具合を推測し、破損の進行具合に応じた警告を複数段階的に出力し、
何れかの前記警告の出力とともに、録画の禁止を許容するか否かの選択を促し、許容する旨の選択がされると、録画を禁止し、
前記録画の禁止以降の何れかの前記警告の出力とともに、電源のオン／オフとデータのバックアップのみ可能とする構成となる。
【発明の効果】
【００１４】
本発明の記録再生装置によれば、ハードディスクの破損の進行具合に応じた警告を出力するので、ユーザはハードディスクドライブの破損の進行具合を段階的に知ることができる。そして、ユーザの都合に合わせてバックアップすることができるので使い勝手が良い。
【発明を実施するための最良の形態】
【００１５】
以下、記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の再生装置に代表される外部装置１２とが接続されている。またＨＤＤ一体型光ディスク装置１０は、リモコン１３によって操作可能である。以下では、光ディスクとしてＤＶＤを例に説明する。
【００１６】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１７】
また、制御部２６は、ＨＤＤの健康状態を示す情報を取得し、該情報の値と所定の閾値とを比較してＨＤＤの破損の進行具合を推測し、破損の進行具合に応じた警告を出力し、所定の動作制限を行う制御もする。
【００１８】
ＨＤＤの健康状態を示す情報とは、例えば、ＳＭＡＲＴ（Self Monitoring Analysis And Reporting Technology）情報を用いることができ、ＳＭＡＲＴ情報には、読み取りエラーや不良セクタ数、代替セクタ数、温度などの情報を任意に含めることができる。また例えば、ＨＤＤの認識時間（ＳＭＡＲＴ情報の取得時間）やリードリトライの回数も用いることができる。
【００１９】
そして、ＨＤＤの破損が進行すると、読み取りエラーが多くなったり、不良セクタが増加したり、代替セクタが増加したり、ＨＤＤの認識時間が長くなったり、リードリトライの回数が多くなったりする傾向がある。よって、これら情報の値が所定の閾値を超えるとＨＤＤの破損が進行していると判断することができる。所定の閾値は実験による経験値により決定することができる。
【００２０】
次に、ＨＤＤが破損している可能性がある場合にデータのバックアップを促す動作について説明する。図２は、ＨＤＤの破損を監視するＨＤＤ一体型光ディスク装置１０の動作を示すフローチャートである。
【００２１】
まず、ＨＤＤ一体型光ディスク装置１０の起動時に、ステップＳ１０においてＨＤＤの健康状態を示す情報を取得する。この情報は上記の何れかの情報を用いればよい。例えば、代替セクタ数を用いる場合は、ＳＭＡＲＴ情報を取得し、その中から代替セクタ数を読み出せばよい。
【００２２】
次にステップＳ１１へ進んで、取得した情報の値と第１の閾値とを比較する。ここで第１の閾値はＨＤＤにごくわずかな初期段階の破損の可能性があるか否かを判定するための値とし、メモリ２３に格納されているものとする。
【００２３】
ステップＳ１１において、取得した情報の値の方が小さい場合は、ＨＤＤに破損の可能性はないと判断して処理を終了する。一方、ステップＳ１１において取得した情報の値の方が大きい場合は、ＨＤＤに少なくとも初期段階の破損の可能性があると判断し、ステップＳ１２へ進む。
【００２４】
ステップＳ１２では、取得した情報と第２の閾値とを比較する。ここで第２の閾値は、第１の閾値よりも大きく、ＨＤＤに初期段階よりも破損が進行した中期段階の破損の可能性があるか否かを判定するための値とし、メモリ２３に格納されているものとする。
【００２５】
ステップＳ１２において、取得した情報の値の方が小さい場合は、取得した情報の値は第１の閾値と第２の閾値の間にあるので、ステップＳ１３へ進んで、ＨＤＤに初期段階の破損の可能性がある旨の警告を出力する。この出力は、例えば「ＨＤＤに初期段階の破損の可能性がありますので、データのバックアップをお薦めします。」などのメッセージをメモリ２３から読み出し、表示装置１１に表示又は音声出力させればよい。ここでユーザはＨＤＤが破損しているかもしれないことを初めて知ることになり、用心深いユーザであればデータをバックアップすると考えられる。バックアップはＤＶＤ記録再生部１８にセットされたＤＶＤに行ったり、外部装置１２の記録媒体に行ったりすることができる。
【００２６】
一方、ステップＳ１２において、取得した情報の値の方が大きい場合は、ＨＤＤに少なくとも中期段階の破損の可能性があると判断し、ステップＳ１４へ進む。
【００２７】
ステップＳ１４では、取得した情報と第３の閾値とを比較する。ここで第３の閾値は、第２の閾値よりも大きく、ＨＤＤに中期段階よりも破損が進行した後期段階の破損の可能性があるか否かを判定するための値とし、メモリ２３に格納されているものとする。
【００２８】
ステップＳ１４において、取得した情報の値の方が小さい場合は、取得した情報の値は第２の閾値と第３の閾値の間にあるので、ステップＳ１５へ進んで、ＨＤＤに中期段階の破損の可能性がある旨の警告を出力する。出力は、ステップＳ１３と同様の手法を採ればよい。ここでユーザはＨＤＤの破損が進行していることを知ることになり、まだデータをバックアップしていなければ、バックアップするユーザが出てくると考えられる。
【００２９】
一方、ステップＳ１４において、取得した情報の値の方が大きい場合は、ＨＤＤに少なくとも後期段階の破損の可能性があると判断し、ステップＳ１６へ進む。
【００３０】
ステップＳ１６では、取得した情報と第４の閾値とを比較する。ここで第４の閾値は、第３の閾値よりも大きく、ＨＤＤに後期段階よりも破損が進行した最終段階の破損の可能性があるか否かを判定するための値とし、メモリ２３に格納されているものとする。
【００３１】
ステップＳ１６において、取得した情報の値の方が小さい場合は、取得した情報の値は第３の閾値と第４の閾値の間にあるので、ステップＳ１７へ進んで、ＨＤＤに後期段階の破損の可能性がある旨の警告を出力する。出力は、ステップＳ１３と同様の手法を採ればよい。続いて、ステップＳ１８へ進んで動作制限を加えるため、ユーザに対し録画の禁止を許容するか否かの選択を促す。具体的には、「これ以上データを増やさないために録画を禁止しますか？」などのメッセージと、ユーザに選択可能にさせた「はい」「いいえ」とを表示装置１１に表示させる。
【００３２】
そしてステップＳ１８において、「はい」が選択されると、ステップＳ１９へ進んで、録画の指示を無効として扱い、録画を禁止する。以後、この動作制御の状態は電源をオフにしても保持する。なお、ＤＶＤに関しては動作制限を加える必要はない。一方、ステップＳ１８において「いいえ」が選択されると、そのまま処理を終了する。なお、ステップＳ１８は必ずしも必要ではなく、ステップＳ１７に続いて強制的にステップＳ１９へ進むようにしてもよい。ここでユーザはＨＤＤの破損が相当進行していることを知ることになり、データをバックアップするユーザが増えると考えられる。
【００３３】
一方、ステップＳ１６において、取得した情報の値の方が大きい場合は、ＨＤＤに最終段階の破損の可能性があると判断し、ステップＳ２０へ進んでＨＤＤに最終段階の破損の可能性がある旨の警告を出力する。出力は、ステップＳ１３と同様の手法を採ればよい。続いて、ステップＳ２１へ進んで更なる動作制限を加える。
【００３４】
ステップＳ２１では、これ以上ＨＤＤ一体型光ディスク装置１０を使用し続けると完全にＨＤＤが破損してしまう段階であると判断し、電源のオン／オフとデータのバックアップのみ可能とし、その他の指示は無効として扱う。以後、この動作制御の状態は電源をオフにしても保持する。なお、ＤＶＤに関しては動作制限を加える必要はない。ここでユーザはＨＤＤがもうすぐ使えなくなるであろうことを知ることになり、まだデータをバックアップしていなかったユーザのほとんどがデータをバックアップすると考えられる。
【００３５】
このように、ＨＤＤの破損の進行具合を段階的に判断し、最初のうちは警告のみ行い、その後は徐々に動作制限を加えることで、ユーザにデータのバックアップを促している。したがって、ユーザはＨＤＤの破損の状況を見極めつつ、都合に合わせてバックアップすることができる。
【００３６】
なお、上記の実施形態では第１から第４の閾値を用いたが、閾値の数には特に限定はない。破損の進行具合に応じた警告を出力するために、閾値は複数段階に設定されておればよく、警告は複数段階的に出力できればよい。
【００３７】
また、ステップＳ１０で取得する情報は、複数の情報であってもよい。その場合は、所定数の情報がそれぞれに対する閾値を超えているか否かを判断基準にすれば、所定数を多くするほど破損と判断する基準が厳しくなる。そして、取得した情報の全てがそれぞれの閾値を超えているか否かを判断基準にすれば、破損と判断する基準が最も厳しくなる。
【００３８】
また、ステップＳ１９やステップＳ２１で行う所定の動作制限は、上記の動作制限に限定されることはなく、再生の禁止など他の動作制限を加えてもよい。また、ステップＳ１９やステップＳ２１の動作制限は必ずしも必要ではない。
【００３９】
また、図２の動作は少なくともＨＤＤ一体型光ディスク装置１０の起動時に行えばよく、他に定期的に使用中に行うようにしてもよい。
【産業上の利用可能性】
【００４０】
本発明は、ハードディスクレコーダなどＨＤＤを備えた記録再生装置に利用することができ、また、複数の記録再生部を１つの筐体に組み込んだ複合機、例えばＨＤＤ一体型光ディスク装置等にも利用することができる。
【図面の簡単な説明】
【００４１】
【図１】本発明のＨＤＤ一体型光ディスク装置の構成及びその周辺機器を示すブロック図である。
【図２】本発明のＨＤＤの破損を監視するＨＤＤ一体型光ディスク装置の動作を示すフローチャートである。
【符号の説明】
【００４２】
１０    ＨＤＤ一体型光ディスク装置（記録再生装置）
２６    制御部
【図１】
2008108332.tif 000003
【図２】
2008108332.tif 000004